(57)【特許請求の範囲】
【請求項１】
下記を具備する、ユーザ機器（ＵＥ）によるワイヤレス通信のための方法：
制御チャネルと関連付けられるリソースの細分性に基づいて、データチャネルに割り当てられるリソースを決定すること、ここにおいて、前記リソースの細分性は、１つまたは複数の拡張された制御チャネル要素（ＥＣＣＥ）の細分性である、および
前記ユーザ機器が、前記決定に基づいて、基地局から送信されたサブフレームにおけるデータチャネル送信を処理すること。
【請求項２】
請求項１に記載の方法、ここにおいて、前記リソースの細分性は、物理リソースブロック（ＰＲＢ）ペアに含まれるＥＣＣＥｓの数に依存する。
【請求項３】
請求項１に記載の方法、ここにおいて、前記データチャネルについて利用可能なリソースは、同一のグループからの複数のＥＣＣＥｓを具備する仮想リソースブロック（ＶＲＢｓ）を具備する。
【請求項４】
請求項１に記載の方法、ここにおいて、前記データチャネルは、物理ダウンリンク共有チャネル（ＰＤＳＣＨ）を具備する。
【請求項５】
請求項４に記載の方法、ここにおいて：
前記ＰＤＳＣＨに割り当てられた前記リソースのうちの少なくともいくつかは、拡張された物理ダウンリンク制御チャネル（ＥＰＤＣＣＨ）に対応するリソースとオーバーラップする、および
前記サブフレームにおけるＰＤＳＣＨ送信を処理することは、前記オーバーラップしたリソースに基づいてレート整合を実行することを具備する。
【請求項６】
請求項４に記載の方法、ここにおいて
少なくともいくつかのＰＤＳＣＨリソースは、対応する制御チャネルなしに割り当てられる、および
前記サブフレームにおけるＰＤＳＣＨ送信を処理することは、ＰＤＳＣＨ送信を復号するためにブラインド復号を実行することを具備する。
【請求項７】
請求項１に記載の方法、ここにおいて、前記データチャネルに割り当てられた前記リソースを決定することは下記を具備する：
１つまたは複数のＥＣＣＥｓのセットに各々マッピングされた、１つまたは複数の仮想リソースブロックのセットを示すダウンリンク制御情報（ＤＣＩ）を受信すること。
【請求項８】
請求項１に記載の方法、ここにおいて、前記データチャネル送信について利用可能なサブフレームは下記を具備する：
既知の位置における情報を有する第１の固定された領域、および
前記ＵＥが物理ダウンリンク共有チャネル（ＰＤＳＣＨ）を検出するためにブラインド復号を実行する第２の動的領域。
【請求項９】
下記を具備する、基地局（ＢＳ）によるワイヤレス通信のための方法：
制御チャネルと関連付けられるリソースの細分性に基づいて、ユーザ機器（ＵＥ）のためのデータチャネルにリソースを割り当てること、ここにおいて、前記リソースの細分性は、１つまたは複数の拡張された制御チャネル要素（ＥＣＣＥ）の数に依存する、および
基地局が、前記割り当てに基づいてサブフレームにおけるデータチャネル送信で前記サブフレームを前記ユーザ機器に送ること。
【請求項１０】
請求項９に記載の方法、ここにおいて、前記リソースの細分性は、物理リソースブロック（ＰＲＢ）ペアに含まれるＥＣＣＥｓの数に依存する。
【請求項１１】
請求項９に記載の方法、ここにおいて、前記データチャネルについて利用可能なリソースは、同一のグループからの複数のＥＣＣＥｓを具備する仮想リソースブロック（ＶＲＢｓ）を具備する。
【請求項１２】
下記を具備する、ワイヤレス通信のためのユーザ機器（ＵＥ）：
制御チャネルと関連付けられるリソースの細分性に基づいて、データチャネルに割り当てられるリソースを決定するための手段、ここにおいて、前記リソースの細分性は、１つまたは複数の拡張された制御チャネル要素（ＥＣＣＥ）の細分性である、および
前記ユーザ機器が、前記決定に基づいて、基地局から送信されたサブフレームにおけるデータチャネル送信を処理するための手段。
【請求項１３】
下記を具備する、ワイヤレス通信のための基地局（ＢＳ）：
制御チャネルと関連付けられるリソースの細分性に基づいて、ユーザ機器（ＵＥ）のためのデータチャネルにリソースを割り当てるための手段、ここにおいて、前記リソースの細分性は、１つまたは複数の拡張された制御チャネル要素（ＥＣＣＥ）の細分性である、および
前記基地局が、前記割り当てに基づいて、サブフレームにおけるＰＤＳＣＨ送信で前記サブフレームを前記ユーザ機器に送るための手段。
【請求項１４】
少なくとも１つのコンピュータシステムに、請求項１乃至８のうちの１項に記載の方法を実行させるためのコンピュータ可読命令を備える、コンピュータプログラム。
【請求項１５】
少なくとも１つのコンピュータシステムに、請求項９乃至１１のうちの１項に記載の方法を実行させるためのコンピュータ可読命令を備える、コンピュータプログラム。
【発明の詳細な説明】
【優先権の主張】
【０００１】
[米国特許法第１１９条に基づく優先権の主張]
[0001]  本願は、２０１３年１月１８日に出願された米国仮出願番号第61/754,489号の利益を主張し、その全体において参照によりここに組み込まれる。
【技術分野】
【０００２】
[0002]  本開示のある観点は、ワイヤレス通信に一般に関連し、より具体的には、ロングタームエボリューション（ＬＴＥ）に関する拡張された制御チャネル要素（ＥＣＣＥ：Enhanced Control Channel Element）ベースの物理ダウンリンク共有チャネル（ＰＤＳＣＨ）リソース割り振りのための装置および技術に関連する。
【背景技術】
【０００３】
[0003]  ワイヤレス通信システムは、音声、データなどのような、様々なタイプの通信コンテンツを提供するために広く展開されている。これらのシステムは、利用可能なシステムリソース（例えば、帯域幅および送信電力）を共有することによってマルチプルのユーザとの通信をサポートすることが可能な多元接続システムでありうる。このような多元接続システムの例は、直交周波数分割多元接続（ＯＦＤＭＡ）システム、ＬＴＥアドバンストシステムを含む第３世代パートナーシッププロジェクト（３ＧＰＰ）ロングタームエボリューション（ＬＴＥ）、周波数分割多元接続（ＦＤＭＡ）システム、時分割多元接続（ＴＤＭＡ）システム、および符号分割多元接続（ＣＤＭＡ）システムを含む。
【０００４】
[0004]  一般に、無線多元接続通信システムは、マルチプルのワイヤレス端末に関する通信を同時にサポートすることができる。各端末は、順方向および逆方向リンク上の送信を介して、１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単一入力単一出力、マルチプル入力単一出力、またはマルチプル入力マルチプル出力（ＭＩＭＯ）システムを介して確立されることができる。
【発明の概要】
【０００５】
[0005]  本開示のある観点は、ロングタームエボリューション（ＬＴＥ）に関する拡張された制御チャネル要素（ＥＣＣＥ）ベースの物理ダウンリンク共有チャネル（ＰＤＳＣＨ）リソース割り振りに一般に関連する。
【０００６】
[0006]  本開示のある観点は、ユーザ機器（ＵＥ）によるワイヤレス通信のための方法を提供する。方法は、制御チャネルと関連付けられたリソースの細分性に基づいて、データチャネルに割り当てられるリソースを決定することと、決定に基づいてサブフレームにおいてデータチャネル送信を処理することを一般に含む。
【０００７】
[0007]  本開示のある観点は、基地局（ＢＳ）によるワイヤレス通信のための方法を提供する。方法は、制御チャネルと関連付けられたリソースの細分性に基づいて、ユーザ機器（ＵＥ）のためのデータチャネルにリソースを割り当てることと、割り当てに基づいてサブフレームにおいてデータチャネル送信を送ることを一般に含む。
【０００８】
[0008]  本開示のある観点は、ユーザ機器（ＵＥ）によるワイヤレス通信のための装置を提供する。装置は、制御チャネルと関連付けられたリソースの細分性に基づいて、データチャネルに割り当てられるリソースを決定するための手段と、決定に基づいてサブフレームにおいてデータチャネル送信を処理するための手段を一般に含む。
【０００９】
[0009]  本開示のある観点は、基地局（ＢＳ）によるワイヤレス通信のための装置を提供する。装置は、制御チャネルと関連付けられたリソースの細分性に基づいて、ユーザ機器（ＵＥ）のためのデータチャネルにリソースを割り当てるための手段と、割り当てに基づいてサブフレームにおいてデータチャネル送信を送るための手段を一般に含む。
【００１０】
[0010]  本開示のある観点はまた、上述される動作を実行するためのプログラム製品および装置を提供する。
【００１１】
[0011]  例えば、ワイヤレス通信のための装置は、制御チャネルと関連付けられたリソースの細分性に基づいて、データチャネルに割り当てられるリソースを決定し、そして決定に基づいてサブフレームにおいてデータチャネル送信を処理するように構成されたプロセッサを含むことができる。別の例として、ワイヤレス通信のための装置は、制御チャネルと関連付けられたリソースの細分性に基づいて、ユーザ機器のためのデータチャネルにリソースを割り当て、そして割り当てに基づいてサブフレームにおいてデータチャネル送信を送るように構成されたプロセッサを含むことができる。別の例として、コンピュータプログラム製品は、コンピュータ可読媒体を備えることができ、コンピュータ可読媒体は、制御チャネルと関連付けられたリソースの細分性に基づいて、データチャネルに割り当てられるリソースを決定するためのコードと、決定に基づいてサブフレームにおいてデータチャネル送信を処理するためのコードを備えることができる。さらに別の例として、コンピュータプログラム製品は、コンピュータ可読媒体を備えることができ、コンピュータ可読媒体は、制御チャネルと関連付けられたリソースの細分性に基づいて、ユーザ機器のためのデータチャネルにリソースを割り当てるためのコードと、割り当てに基づいてサブフレームにおいてデータチャネルを送るためのコードを備えることができる。
【図面の簡単な説明】
【００１２】
【図１】図１は、本開示のある観点に従う、例示的ワイヤレス通信ネットワークを概念的に図示するブロック図である。
【図２】図２は、本開示のある観点に従う、ワイヤレス通信ネットワークにおけるユーザ機器（ＵＥ）と通信する発展型ノードＢ（ｅＮＢ）の例を概念的に図示するブロック図である。
【図３】図３は、本開示のある観点に従う、ワイヤレス通信ネットワークにおける使用のための特定の無線接続技術工学（ＲＡＴ）のための例示的フレーム構造を概念的に図示するブロック図である。
【図４】図４は、本開示のある観点に従う、通常のサイクリックプレフィックスを有するダウンリンクのための２つの例示的サブフレームフォーマットを図示する。
【図５】図５は、本開示のある観点に従う、ＥＰＤＣＣＨのためのＰＲＢペアにおける例示的ＥＲＥＧｓを図示する。
【図６】図６は、本開示のある観点に従う、ローカライズされたＥＰＤＣＣＨのためのＰＲＢペアにおける例示的ＥＲＥＧｓを図示する。
【図７】図７は、本開示のある観点に従う、例示的ＥＣＣＥインデクシング（indexing）を図示する。
【図８】図８は、本開示のある観点に従う、例示的ＥＣＣＥベースのＰＤＳＣＨリソース割り振りを図示する。
【図９】図９は、本開示のある観点に従う、６組のＰＲＢペアのための例示的ＥＣＣＥベースのＰＤＳＣＨリソース割り振りを図示する。
【図１０】図１０は、本開示のある観点に従う、６組のＰＲＢペアのための例示的ＥＣＣＥベースのＰＤＳＣＨリソース割り振りを図示する。
【図１１】図１１は、本開示のある観点に従う、２つまたはそれより多くのリソースセットを用いて編成されたサブフレームにおけるＰＲＢペアを図示する。
【図１２】図１２は、本開示のある観点に従う、２個のリソースセットを用いて編成された６組のＰＲＢペアのための例示的ＥＣＣＥベースのＰＤＳＣＨリソース割り振りを図示する。
【図１３】図１３は、本開示のある観点に従う、２個のリソースセットを用いて編成された６組のＰＲＢペアのための例示的ＥＣＣＥベースのＰＤＳＣＨリソース割り振りを図示する。
【図１４】図１４は、本開示のある観点に従う、ブラインド復号のために使用される既知のおよび動的領域の例を図示する。
【図１５】図１５は、本開示のある観点に従う、ユーザ機器（ＵＥ）によるワイヤレス通信のための例示的動作を図示する。
【図１６】図１６は、本開示のある観点に従う、基地局によるワイヤレス通信のための例示的動作を図示する。
【詳細な説明】
【００１３】
[0028]  本開示の観点は、ロングタームエボリューション（ＬＴＥ）のための制御チャネル要素（ＥＣＣＥ）ベースの物理ダウンリンク共有チャネル（ＰＤＳＣＨ）リソース割り振りを拡張するための装置および技術を提供する。ある観点に従って、ユーザ機器（ＵＥ）は、ＰＤＳＣＨのために割り当てられた仮想リソースブロック（ＶＲＢｓ）を示すビットの数を有するダウンリンク制御情報（ＤＣＩ）を受信することができる。各ＶＲＢは、同一のまたは異なる拡張されたリソース要素グループ（ＥＲＥＧ）からのＥＣＣＥｓを含むことができる。ＥＣＣＥｓは、マルチプルの物理リソースブロック（ＰＲＢ）ペアまたは同一のＰＲＢペアにまたがることができる。ＵＥは、割り当てられたＰＤＳＣＨリソースをオーバーラップする拡張された物理ダウンリンク制御チャネル（ＥＰＤＣＣＨ）のまわりでレート整合（rate matching）を実行することができる。
【００１４】
[0029]  ここで説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等のような様々なワイヤレス通信ネットワークのために使用されることができる。用語「ネットワーク」および「システム」は、しばしば置換可能なように使用される。ＣＤＭＡネットワークは、ユニバーサル地上無線アクセス（ＵＴＲＡ）、ｃｄｍａ２０００等のような無線技術工学をインプリメントすることができる。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５およびＩＳ−８５６標準をカバーする。ＴＤＭＡネットワークは、移動通信のためのグローバルシステム（ＧＳＭ（登録商標））のような無線技術工学をインプリメントすることができる。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、Ｆｌａｓｈ−ＯＦＤＭ（登録商標）等のような無線技術工学をインプリメントすることができる。ＵＴＲＡおよびＥ−ＵＴＲＡは、ユニバーサルモバイルテレコミュニケーションシステム（ＵＭＴＳ）の一部である。周波数分割デュプレックス（ＦＤＤ）および時分割デュプレックス（ＴＤＤ）の両方における、３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースであり、それはダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称される団体からの文書内に説明されている。ｃｄｍａ２０００およびＵＭＢは、「第３世代パートナーシッププロジェクト２」（３ＧＰＰ２）と称される団体からの文書内に説明されている。ここに説明される技術は、他のワイヤレスネットワークおよび無線技術工学と同様に、上述された無線技術工学およびワイヤレスネットワークのために使用されることができる。明確にするために、技術のある観点はＬＴＥ／ＬＴＥ−Ａに関して以下に説明され、ＬＴＥ／ＬＴＥ−Ａ用語が以下の説明の大部分において使用され、そして簡潔さのために、ＬＴＥはＬＴＥ／ＬＴＥ−Ａを指す。
【００１５】
［例示的ワイヤレス通信システム］
[0030]  図１は、ワイヤレス通信ネットワーク１００を示し、それはＬＴＥネットワークまたは何らかの他のワイヤレスネットワークであることができる。ワイヤレスネットワーク１００は、多数の発展型ノードＢｓ（ｅＮＢｓ）１１０と、その他のネットワークエンティティとを含むことができる。ｅＮＢは、ユーザ機器（ＵＥｓ）と通信するエンティティであり、基地局、ノードＢ、アクセスポイント（ＡＰ）等と称されることもできる。各ｅＮＢは、特定の地理的エリアについての通信カバレッジを提供することができる。３ＧＰＰにおいて、用語「セル」は、用語が使用される文脈に依存して、このカバレッジエリアをサービスする（serving）ｅＮＢサブシステムおよび／またはｅＮＢのカバレッジエリアを指すことができる。
【００１６】
[0031]  ｅＮＢは、マクロセル、ピコセル、フェムトセル、および／または、他のタイプのセルのための通信カバレッジを提供することができる。マクロセルは、比較的大きい地理的エリア（例えば、半径数キロメータ）をカバーすることができ、そしてサービス加入しているＵＥｓによる無制限のアクセスを可能にすることができる。ピコセルは、比較的小さい地理的エリアをカバーすることができ、そしてサービス加入しているＵＥｓによる無制限のアクセスを可能にすることができる。フェムトセルは、比較的小さい地理的エリア（例えば、家）をカバーすることができ、フェムトセルとの関連性を有するＵＥｓ（例えば、クローズド加入者グループ（ＣＳＧ）におけるＵＥｓ）による制限付きアクセスを可能にすることができる。マクロセルのためのｅＮＢは、マクロｅＮＢと称されることができる。ピコセルのためのｅＮＢは、ピコｅＮＢと称されることができる。フェムトセルのためのｅＮＢは、フェムトｅＮＢまたはホームｅＮＢ（ＨｅＮＢ）と称されることができる。図１において示される例において、ｅＮＢ １１０ａは、マクロセル１０２ａのためのマクロｅＮＢであることができ、ｅＮＢ １１０ｂは、ピコセル１０２ｂのためのピコｅＮＢであることができ、そしてｅＮＢ １１０ｃは、フェムトセル１０２ｃのためのフェムトｅＮＢであることができる。ｅＮＢは、１つまたはマルチプル（例えば、３つ）のセルをサポートすることができる。用語「セル」、「基地局」、および「ｅＮＢ」は、ここで置換可能に使用されることができる。
【００１７】
[0032]  ワイヤレスネットワーク１００はまた、中継局を含むことができる。中継局は、アップストリーム局（例えば、ｅＮＢまたはＵＥ）からのデータの送信を受信し、およびダウンストリーム局（例えば、ＵＥまたはｅＮＢ）へのデータの送信を送ることができるエンティティである。中継局はまた、他のＵＥｓのための送信を中継することができるＵＥであることができる。図１において示される例において、中継局１１０ｄは、ｅＮＢ １１０ａとＵＥ １２０ｄの間の通信を容易にするために、マクロｅＮＢ １１０ａおよびＵＥ １２０ｄと通信することができる。中継局はまた、中継ｅＮＢ、中継基地局、中継器等と称されることができる。
【００１８】
[0033]  ワイヤレスネットワーク１００は、異なるタイプのｅＮＢｓ、例えば、マクロｅＮＢｓ、ピコｅＮＢｓ、フェムトｅＮＢｓ、中継ｅＮＢｓ等を含む異種ネットワークであることができる。これらの異なるタイプのｅＮＢｓは、ワイヤレスネットワーク１００における干渉時の異なる影響、異なるカバレッジエリア、および異なる送信電力レベルを有することができる。例えば、マクロｅＮＢｓは、高い送信電力レベル（例えば、５から４０ Ｗ）を有することができるが、ピコｅＮＢｓ、フェムトｅＮＢｓ、および中継ｅＮＢｓは、より低い送信電力レベル（例えば、０．１から２ Ｗ）を有することができる。
【００１９】
[0034]  ネットワークコントローラ１３０は、ｅＮＢｓのセットに結合することができ、そしてこれらｅＮＢｓのための協調と制御を提供することができる。ネットワークコントローラ１３０は、バックホールを介してｅＮＢｓと通信することができる。ｅＮＢｓはまた、例えば、ワイヤレスまたはワイヤー回線バックホールを介して間接的にまたは直接的に互いに通信することができる。
【００２０】
[0035]  ＵＥｓ １２０（例えば、１２０ａ、１２０ｂ、１２０ｃ）は、ワイヤレスネットワーク１００全体にわたって分散されることができ、そして各ＵＥは固定またはモバイルであることができる。ＵＥはまた、アクセス端末、端末、モバイル局（ＭＳ）、加入者ユニット、局（ＳＴＡ）等と称されることができる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、無線ローカルループ（ＷＬＬ）局、タブレット、スマートフォン、ネットブック、スマートブック、ウルトラブック等であることができる。
【００２１】
[0036]  図２は、ＵＥ １２０および基地局／ｅＮＢ １１０の設計のブロック図であり、図１におけるＵＥｓのうちの１つおよび基地局／ｅＮＢｓのうちの１つであることができる。基地局１１０には、Ｔ個のアンテナ２３４ａ乃至２３４ｔが装備されることができ、そしてＵＥ １２０には、Ｒ個のアンテナ２５２ａ乃至２５２ｒが装備されることができ、ここで、一般に、Ｔ≧１およびＲ≧１である。
【００２２】
[0037]  基地局１１０において、送信プロセッサ２２０は、１つまたは複数のＵＥｓのためのデータソース２１２からデータを受信し、ＵＥから受信されたチャネル品質インジケータ（ＣＱＩｓ：channel quality indicators）に基づいてＵＥごとに１つまたは複数の変調符号化方式（ＭＣＳｓ）を選択し、ＵＥのために選択されたＭＣＳ（ｓ）に基づいてＵＥごとのデータを処理（例えば、符号化および変調）し、すべてのＵＥｓのためにデータシンボルを提供することができる。送信プロセッサ２２０はまた、（例えば、半静的リソース分割情報（ＳＲＰＩ）等に関する）システム情報および制御情報（例えば、ＣＱＩリクエスト、グラント（grants）、上位レイヤシグナリング（upper layer signaling）等）を処理し、オーバーヘッドシンボルおよび制御シンボルを提供することができる。プロセッサ２２０はまた、基準信号（例えば、共通基準信号（ＣＲＳ））および同期信号（例えば、プライマリ同期信号（ＰＳＳ）およびセカンダリ同期信号（ＳＳＳ））のための基準シンボルを生成することができる。送信（ＴＸ）複数入力複数出力（ＭＩＭＯ）プロセッサ２３０は、適用できる場合、データシンボル、制御シンボル、オーバーヘッドシンボル、および／または基準シンボルで空間処理（例えば、プリコーディング）を実行することができ、そしてＴ個の変調器（ＭＯＤｓ）２３２ａ乃至２３２ｔにＴ個の出力シンボルストリームを提供することができる。各変調器２３２は、出力サンプルストリームを取得するために、（例えば、ＯＦＤＭ等のための）それぞれの出力シンボルストリームを処理することができる。各変調器２３２はさらに、ダウンリンク信号を取得するために、出力サンプルストリームを処理（例えば、アナログへコンバート、増幅、フィルタ、およびアップコンバート）することができる。変調器２３２ａ乃至２３２ｔからのＴ個のダウンリンク信号は、Ｔ個のアンテナ２３４ａ乃至２３４ｔを介してそれぞれ送信されることができる。
【００２３】
[0038]  ＵＥ １２０において、アンテナ２５２ａ乃至２５２ｒは、基地局１１０および／または他の基地局からのダウンリンク信号を受信することができ、そして復調器（ＤＥＭＯＤｓ）２５４ａ乃至２５４ｒに受信された信号をそれぞれ供給することができる。各復調器２５４は、入力サンプルを取得するために、その受信された信号を調整（例えば、フィルタ、増幅、ダウンコンバート、およびデジタル化）することができる。各復調器２５４はさらに、受信されたシンボルを取得するために、（例えば、ＯＦＤＭ等のための）入力サンプルを処理することができる。ＭＩＭＯ検出器２５６は、すべてのＲ個の復調器２５４ａ乃至２５４ｒから受信されたシンボルを取得し、適用可能な場合、受信されたシンボルでＭＩＭＯ検出を実行し、そして検出されたシンボルを提供することができる。受信プロセッサ２５８は、検出されたシンボルを処理（例えば、復調および復号）し、データシンク２６０にＵＥ １２０に関する復号されたデータを提供し、コントローラ／プロセッサ２８０に復号された制御情報およびシステム情報を提供することができる。チャネルプロセッサは、基準信号受信電力（ＲＳＲＰ）、受信信号強度インジケータ（ＲＳＳＩ）、基準信号受信品質（ＲＳＲＱ）、ＣＱＩ等を決定することができる。
【００２４】
[0039]  アップリンク上で、ＵＥ １２０において、送信プロセッサ２６４は、データソース２６２からのデータおよびコントローラ／プロセッサ２８０からの（例えば、ＲＳＲＰ、ＲＳＳＩ、ＲＳＲＱ、ＣＱＩ等を含む報告のための）制御情報を受信および処理することができる。プロセッサ２６４はまた、１つまたは複数の基準信号に関する基準シンボルを生成することができる。送信プロセッサ２６４からのシンボルは、適用できる場合、ＴＸ ＭＩＭＯプロセッサ２６６によってプリコードされ、（例えば、ＳＣ−ＦＤＭ、ＯＦＤＭ等のための）変調器２５４ａ乃至２５４ｒによってさらに処理され、そして基地局１１０に送信されることができる。基地局１１０において、ＵＥ １２０および他のＵＥｓからのアップリンク信号は、アンテナ２３４によって受信され、復調器２３２によって処理され、適用できる場合、ＭＩＭＯ検出器２３６によって検出され、そしてＵＥ １２０によって送られる制御情報および復号されたデータを取得するために受信プロセッサ２３８によってさらに処理されることができる。プロセッサ２３８は、復号されたデータをデータシンク２３９に、そして、復号された制御情報をコントローラ／プロセッサ２４０に提供することができる。基地局１１０は、通信ユニット２４４を含み、そして通信ユニット２４４を介してネットワークコントローラ１３０に通信することができる。ネットワークコントローラ１３０は、通信ユニット２９４、コントローラ／プロセッサ２９０、およびメモリ２９２を含むことができる。
【００２５】
[0040]  コントローラ／プロセッサ２４０および２８０は、基地局１１０およびＵＥ １２０のそれぞれにおける動作を指示することができる。基地局１１０におけるプロセッサ２４０および／または他のプロセッサおよびモジュール、および／またはＵＥ １２０におけるプロセッサ２８０および／または他のプロセッサおよびモジュールは、ここで説明される技術のための処理を実行または指示することができる。メモリ２４２および２８２は、基地局１１０およびＵＥ １２０のそれぞれのためのデータおよびプログラムコードを記憶することができる。スケジューラ２４６は、ダウンリンクおよび／またはアップリンクでのデータ送信のためにＵＥｓをスケジュールすることができる。
【００２６】
[0041]  ＵＥ １２０にデータを送信するとき、基地局１１０は、データ割り振りサイズに少なくとも部分的に基づいてバンドリングサイズを決定し、そして決定されたバンドリングサイズのバンドルされた連続リソースブロックにおいてデータをプリコードするように構成されることができ、ここにおいて、各バンドルにおけるリソースブロックは、共通プリコーディングマトリックスでプリコードされることができる。すなわち、リソースブロックにおけるデータおよび／またはＵＥ−ＲＳのような基準信号（ＲＳｓ）は、同一のプリコーダを使用してプリコードされることができる。バンドルされたリソースブロック（ＲＢｓ）の各ＲＢにおけるＵＥ−ＲＳのために使用される電力レベルはまた、同一であることができる。
【００２７】
[0042]  ＵＥ １２０は、基地局１１０から送信されたデータを復号するために相補処理（complementary processing）を実行するように構成されることができる。例えば、ＵＥ １２０は、連続ＲＢｓのバンドルにおける基地局から送信される受信されたデータのデータ割り振りサイズに基づいてバンドリングサイズを決定し、ここにおいて、各バンドルにおけるリソースブロックにおける少なくとも１つの基準信号は、共通プリコーディングマトリックスでプリコードされ、基地局から送信された１つまたは複数のＲＳｓおよび決定されたバンドリングサイズに基づいて少なくとも１つのプリコードされたチャネルを推定し、そして推定されたプリコードされたチャネルを使用して受信されたバンドルを復号するように構成されることができる。
【００２８】
[0043]  図３は、ＬＴＥにおけるＦＤＤ（周波数分割デュプレックス）に関する典型的なフレーム構造３００を示す。ダウンリンクおよびアップリンクの各々に関する送信タイムラインは、無線フレームの単位に区分されることができる。各無線フレームは、所定の持続時間（例えば、１０ミリ秒（ｍｓ））を有することができ、そして０乃至９のインデックスを有する１０個のサブフレームに区分されることができる。各サブフレームは、２つのスロットを含むことができる。各無線フレームはしたがって、０乃至１９のインデックスで２０個のスロットを含むことができる。各スロットは、Ｌ個のシンボル期間を含み、例えば、（図３において示されるように）通常のサイクリックプレフィックスについては７個のシンボル期間を、または、拡張されたサイクリックプレフィックスについては６個のシンボル期間を含むことができる。各サブフレームにおける２Ｌ個のシンボル期間は、０乃至２Ｌ−１のインデックスを割り当てられることができる。
【００２９】
[0044]  ＬＴＥにおいて、ｅＮＢは、ｅＮＢによってサポートされる各セルに関するシステム帯域幅の中心１．０８ＭＨｚにおけるダウンリンクでプライマリ同期信号（ＰＳＳ）およびセカンダリ同期信号（ＳＳＳ）を送信することができる。図３に示されるように、ＰＳＳおよびＳＳＳは、通常のサイクリックプレフィックスを有する各無線フレームのサブフレーム０および５におけるシンボル期間６および５でそれぞれ送信されることができる。ＰＳＳおよびＳＳＳは、セルの探索および捕捉のためにＵＥｓによって使用されることができる。ｅＮＢは、ｅＮＢによってサポートされる各セルに関するシステム帯域幅にわたるセル特有の基準信号（ＣＲＳ）を送信することができる。ＣＲＳは、各サブフレームのあるシンボル期間において送信されることができ、そしてチャネル推定、チャネル品質測定（channel quality measurement）、および／または他の機能を実行するためにＵＥｓによって使用されることができる。ｅＮＢはまた、ある無線フレームのスロット１におけるシンボル期間０から３において物理ブロードキャストチャネル（ＰＢＣＨ：physical broadcast channel）を送信することができる。ＰＢＣＨは、いくつかのシステム情報を搬送することができる。ｅＮＢは、あるサブフレームにおける物理ダウンリンク共有チャネル（ＰＤＳＣＨ）でシステム情報ブロック（ＳＩＢｓ）のような他のシステム情報を送信することができる。ｅＮＢは、サブフレームの第１のＢ個のシンボル期間における物理ダウンリンク制御チャネル（ＰＤＣＣＨ）で制御情報／データを送信することができ、ここで、Ｂ個は各サブフレームに関して構成可能であることができる。ｅＮＢは、各サブフレームの残存シンボル期間（remaining symbol periods）におけるＰＤＳＣＨでトラフィックデータおよび／または他のデータを送信することができる。
【００３０】
[0045]  ＬＴＥにおけるＰＳＳ、ＳＳＳ、ＣＲＳ、およびＰＢＣＨは、「発展型ユニバーサル地上無線接続（Ｅ−ＵＴＲＡ）；物理チャネルおよび変調（Evolved Universal Terrestrial Radio Access （E-UTRA）; Physical Channels and Modulation）」と題される、公的に入手可能な３ＧＰＰ ＴＳ ３６．２１１において説明されている。
【００３１】
[0046]  図４は、通常のサイクリックプレフィックスを有するダウンリンクに関する２つの例示的サブフレームフォーマット４１０および４２０を示す。ダウンリンクのために利用可能な時間周波数リソースは、リソースブロックに区分されることができる。各リソースブロックは、１つのスロットにおいて１２個のサブキャリアをカバーすることができ、そして多くのリソース要素を含むことができる。各リソース要素は、１つのシンボル期間において１つのサブキャリアをカバーすることができ、そして１つの変調シンボルを送るために使用されることができ、それは、実数または複素数値であることができる。
【００３２】
[0047]  サブフレームフォーマット４１０は、２個のアンテナが装備されたｅＮＢのために使用されることができる。ＣＲＳは、シンボル期間０、４、７、および１１におけるアンテナ０および１から送信されることができる。基準信号は、送信機と受信機とによってアプリオリ（a priori）に知られている信号であり、そしてパイロットとも称されることができる。ＣＲＳは、例えば、セル識別子（ＩＤ）に基づいて生成される、セルに特有の基準信号である。図４において、ラベルＲａを有する所与のリソース要素に関し、変調シンボルは、アンテナａからそのリソース要素上で送信されることができ、また、何れの変調シンボルも、その他のアンテナからは、そのリソース要素上で送信されないことがある。サブフレームフォーマット４２０は、４個のアンテナが装備されたｅＮＢのために使用されることができる。ＣＲＳは、シンボル期間０、４、７および１１においては、アンテナ０および１から、また、シンボル期間１および８においては、アンテナ２および３から、送信されることができる。サブフレームフォーマット４１０および４２０の両方に関して、ＣＲＳは、空間サブキャリアで均等に送信されることができ、それはセルＩＤに基づいて決定されることができる。異なるｅＮＢｓは、それらのセルＩＤｓに依存して、同一のまたは異なるサブキャリアでそれらのＣＲＳｓを送信することができる。両方のサブフレームフォーマット４１０および４２０に関して、ＣＲＳのために使用されないリソース要素は、データ（例えば、トラフィックデータ、制御データ、および／またはその他のデータ）を送信するために使用されることができる。
【００３３】
[0048]  インターレース構造（interlace structure）は、ＬＴＥにおけるＦＤＤに関するダウンリンクおよびアップリンクの各々のために使用されることができる。例えば、０乃至Ｑ−１のインデックスを有するＱ個のインターレースが定義されることができ、ここで、Ｑは４、６、８、１０、または他の何らかの値と等しくあることができる。各インターレースは、Ｑ個のフレーム分だけ離れて間隔をあけられたサブフレームを含むことができる。特に、インターレースｑは、サブフレームｑ、ｑ＋Ｑ、ｑ＋２Ｑ等を含むことができ、ここで、
【数１】
0006337011.tif 000002
【００３４】
である。
【００３５】
[0049]  ワイヤレスネットワークは、ダウンリンクおよびアップリンクでのデータ送信に関するハイブリッド自動再送要求（ＨＡＲＱ）をサポートすることができる。ＨＡＲＱに関して、送信機（例えば、ｅＮＢ １１０）は、パケットが受信機（例えば、ＵＥ １２０）によって正確に復号される、または他の何らかの終了条件に直面する（encountered）までパケットの１つまたは複数の送信を送ることができる。同期ＨＡＲＱに関して、パケットのすべての送信は、単一のインターレースのサブフレームにおいて送られることができる。非同期ＨＡＲＱに関して、パケットの各送信は任意のサブフレームで送られることができる。
【００３６】
[0050]  ＵＥは、マルチプルのｅＮＢｓのカバレッジ内に位置付けられることができる。これらのｅＮＢｓのうちの１つが、ＵＥにサービスするために選択されることができる。サービスしているｅＮＢは、受信される信号強度、受信される信号品質、パス損失等のような様々な基準（criteria）に基づいて選択されることができる。受信された信号品質は、信号対干渉プラス雑音比（ＳＩＮＲ）、または受信される基準信号の品質（ＲＳＲＱ）、または他の何らかの測定法（metric）によって量子化されることができる。ＵＥは、そこにおいてＵＥが１つまたは複数の干渉ｅＮＢｓから高い干渉を観測することができる支配的干渉シナリオ（dominant interference scenario）において、動作することができる。
【００３７】
［ＬＴＥに関する拡張された制御チャネル要素（ＥＣＣＥ）ベースの物理ダウンリンク共有チャネル（ＰＤＳＣＨ）リソース割り振り］
[0051]  ロングタームエボリューション（ＬＴＥ）のリリース８、９、１０、および１１において、物理ダウンリンク共有チャネル（ＰＤＳＣＨ）の３つのタイプのリソース割り振り（ＲＡ）がサポートされる：タイプ０、タイプ１、およびタイプ２。タイプ０に関して、ＰＤＳＣＨリソースはビットマップを使用してマッピングすることによって割り振られる。ビットマップにおける各ビットは、特定のリソースブロックグループ（ＲＢＧ）がユーザ機器（ＵＥ）に関してスケジュールされるかまたはＵＥがスケジュールされないかを示す。サブフレームにおける２つのスロットにわたるホッピングはない。タイプ１に関して、ＰＤＳＣＨリソースはまた、ビットマップでマッピングされ、各ビットはＲＢがＵＥに関してスケジュールされるか否かを示す。タイプ１に関して、２つの隣接するＲＢｓ間のギャップはＲＢＧに等しい。タイプ１に関しても、サブフレームにおける２つのスロットにわたるホッピングはない。
【００３８】
[0052]  タイプ２は、連続リソース割り振りを使用する。ＲＡは、物理的連続（physically contiguous）またはバーチャル連続（virtually contiguous）のいずれかであることができる。（ローカライズされたバーチャルＲＢ（ＶＲＢ）ＲＡと称される）物理的連続ＲＡに関して、ＲＢｓのセットは物理的連続であり、そしてサブフレームにおける２つのスロットにわたってホッピングしない。（分散された（distributed）ＶＲＢ ＲＡと称される）バーチャル連続リソース割り振りに関して、ＲＢｓのセットは一般的に物理的不連続であり、そしてサブフレームにおける２つのスロットにわたってホッピングする。分散されたＶＲＢ ＲＡは、周波数ダイバーシティを最大化するように設計される。
【００３９】
[0053]  ＬＴＥ Ｒｅｌ−８／９／１０において、物理ダウンリンク制御チャネル（ＰＤＣＣＨ）は、サブフレームにおける第１のいくつかのシンボルにおいて位置付けられる。ＰＤＣＣＨは、全体のシステム帯域幅において完全に分散される。ＰＤＣＣＨは、ＰＤＳＣＨを有する時分割多重化（ＴＤＭ）であり；効果的にサブフレームを制御領域およびデータ領域に分割する。
【００４０】
[0054]  Ｒｅｌ−１１において、拡張されたＰＤＣＣＨ（ＥＰＤＣＣＨ）が導入される。サブフレームにおける第１のいくつかの制御シンボルを占有する、レガシーＰＤＣＣＨとは違い、ＥＰＤＣＣＨは、ＰＤＳＣＨと同様に、データ領域を占有することとなる。ＥＰＤＣＣＨは、制御チャネル容量を増加させることを補助し、周波数ドメインセル間干渉調整（ＩＣＩＣ）をサポートし、制御チャネルリソースの改善された空間的再利用を達成し、ビームフォーミングおよび／またはダイバーシティをサポートし、新しいキャリアタイプ（ＮＣＴ）上で動作し、そしてマルチメディアブロードキャストマルチキャストサービスシングル−周波数ネットワーク（ＭＢＳＦＮ：Multimedia Broadcast Multicast Service Single-Frequency Network）において、サブフレームはレガシーＵＥｓと同一のキャリアで共存する。
【００４１】
[0055]  ＥＰＤＣＣＨは、周波数分割多重（ＦＤＭ）ベースであり、そしてローカライズされたおよび分散された、の２つのモードを有することができる。ローカライズされたＥＰＤＣＣＨに関し、単一のプリコーダは各ＰＲＢペアについて適用される。プリコーダは、ＵＥに対してトランスペアレントであり、そして異なるプリコーダは同一のＥＰＤＣＣＨ候補の異なるＰＲＢペアについて適用されることができる。分散されたＥＰＤＣＣＨに関して、２つのプリコーダは、各ＰＲＢペア内に割り振られたリソースを通して循環する（cycle）。
【００４２】
[0056]  ＥＰＤＣＣＨは拡張されたリソース要素グループ（ＥＲＥＧ）および拡張された制御チャネル要素（ＥＣＣＥ）に基づく。各ＰＲＢペアは、復調基準信号（ＤＭ−ＲＳ）に関するＲＥｓを除き、１６個のＥＲＥＧｓに等しく分割される。ＤＭ−ＲＳを除いた後、通常巡回プレフィックス（ＣＰ）に関する１４４個のＲＥｓ／ＰＲＢペア（１２ｘ１４−２４ ＤＭ−ＲＳ＝１４４）、および拡張された（extended）ＣＰに関する１２８個のＲＥｓ／ＰＲＢペア（１２ｘ１２−１６ ＤＭ−ＲＳ＝１２８）が存在し、通常のおよび拡張されたＣＰの場合、それぞれ、ＥＲＥＧごとに９個のＲＥｓ（１４４／１６＝９）およびＥＲＥＧごとに８個のＲＥｓ（１２８／１６＝８）という結果になる。
【００４３】
[0057]  図５は、本開示のある観点に従って、ＥＰＤＣＣＨに関するＰＲＢペアにおける例示的ＥＲＥＧｓを図示する。図５に見られるように、各ボックスはＥＲＥＧを表すことができる。各そのようなボックスにおける数字は、ＥＲＥＧインデックスである。数字のないボックスは、ＤＭ−ＲＳ ＲＥｓを表すことができる。先に述べたように、各ＥＲＥＧは９個のＲＥｓを占有する。ＥＣＣＥはＮ＝４または８個のＥＲＥＧｓから成る。ＰＲＢペアごとに４個のＥＣＣＥｓに対応して、ＲＥｓ／ＰＲＢペアの数が大きいとき、通常ＣＰおよび通常のサブフレーム構成、または特別なサブフレーム構成３、４、または８の場合、Ｎ＝４である。さもなければ、ＰＲＢペアごとに２個のＥＣＣＥｓに対応して、Ｎ＝８である。先に述べたように、各ＰＲＢは１６個のＥＲＥＧｓに等しく分割される。１つの例において、ＰＲＢペア０はシンボル０−３にわたりトーン０−３を含むことができ、ＰＲＢペア１はシンボル０−３にわたりトーン４−７を含むことができ、ＰＲＢペア２はシンボル０−３にわたりトーン８−１１を含むことができ、そしてＰＲＢペア３はシンボル１−４にわたりトーン１−４を含むことができる、等。
【００４４】
[0058]  図６は、本開示のある観点に従う、ローカライズされたＥＰＤＣＣＨのためのＰＲＢペアにおける例示的ＥＲＥＧｓを図示する。ＥＣＣＥはＥＲＥＧのグルーピングのコンセプトに基づく。図６において示されるように、各ＥＣＣＥは４個のＥＲＥＧｓを含む。ＥＰＤＣＣＨがローカライズされているかまたは分散されているかに関わらず、４個のＥＲＥＧグループが形成される。グループ０はＥＲＥＧｓ｛０，４，８，１２｝を含む。グループ１はＥＲＥＧｓ｛１，５，９，１３｝を含む。グループ２はＥＲＥＧｓ｛２，６，１０，１４｝を含む。そして、グループ３はＥＲＥＧｓ｛３，７，１１，１５｝を含む。ＥＣＣＥが４個のＥＲＥＧｓによって形成されるとき、ＥＣＣＥはＥＲＥＧグループによって形成される。ＥＣＣＥが８個のＥＲＥＧｓによって形成されるとき、ＥＣＣＥは２個のＥＲＥＧグループによって形成される。２個のＥＲＥＧグループはＥＲＥＧグループ０＆２または１＆３である。
【００４５】
[0059]  ＥＲＥＧグループのＥＲＥＧｓの位置はＥＰＤＣＣＨモードに依存する。図６において見られるように、ローカライズされたＥＰＤＣＣＨに関して、同一のグループのＥＲＥＧｓは、ＰＲＢペアが４個のＥＣＣＥｓを有するとき常に同一のＰＲＢペアに由来する。分散されたＥＰＤＣＣＨに関して、同一のグループのＥＲＥＧｓは、可能な限り異なるＰＲＢペアに由来する。詳細なマッピングは、ＥＰＤＣＣＨのために構成されたＰＲＢペアの数に基づく。
【００４６】
[0060]  分散されたＥＰＤＣＣＨに関して、各ＥＣＣＥは、ＰＲＢペアにわたって定義される。例えば、ＥＣＣＥ ０は、ＰＲＢペア０のＥＲＥＧ ０、ＰＲＢペア１のＥＲＥＧ ４、ＰＲＢペア２のＥＲＥＧ ８、およびＰＲＢペア３のＥＲＥＧ １２から成る。例における４組のＰＲＢペアは、周波数において不連続である（すなわち、周波数が分散される）ことができる。例えば、図５を参照すると、ＰＲＢペア０のＥＲＥＧ ０がトーン０上にあり、ＰＲＢペア１のＥＲＥＧ ４がトーン１上にあり、ＰＲＢペア２のＥＲＥＧ ８がトーン８上にあり、そしてＰＲＢペア３のＥＲＥＧ １２がシンボル１のトーン０上にある。
【００４７】
[0061]  図７は、本開示のある観点に従う、例示的ＥＣＣＥインデクシングを図示する。図７において見られるように、ＥＣＣＥインデクシングは、同一のＰＲＢペアにおいて、ローカライズされたおよび分散されたＥＰＤＣＣＨを多重化することを容易にするために、グループ第１ベースで行われる。例えば、分散されたＥＰＤＣＣＨ １はＥＣＣＥｓ ０−３を割り当てられ、分散されたＥＰＤＣＣＨ ２はＥＣＣＥｓ ４−５を割り当てられ、そしてローカライズされたＥＰＤＣＣＨ ２−３はＥＣＣＥｓ ８−９をそれぞれ割り当てられる。
【００４８】
[0062]  ＬＴＥに基づく低コストマシーンタイプ通信（ＭＴＣ）ＵＥｓに関して、最大の帯域幅を低減させ、単一の受信ＲＦチェインを利用し、ピークレートを低減させ、送信電力を低減させ、そして半分のデュプレックス動作を使用することが望ましくあることができる。低コストデバイスのために意図されたデータレートが１００ｋｂｐｓよりも低くなることができるため、コストを削減するために狭帯域幅（例えば、６ ＲＢｓ）でのみデバイスを動作することが可能である。
【００４９】
[0063]  解決されるべきいくつかの問題点は、小さい帯域幅でＭＴＣが動作することを考えると、ＭＴＣ ＵＥｓに関するＰＤＳＣＨをどのようにより効率的にスケジュールするかである。ＭＴＣについての各ＰＤＳＣＨ割り当ては、典型的に小さく（例えば、１個または２個のＰＲＢペア）あることができる。ＭＴＣ ＵＥｓは、速いおよび信頼性のあるチャネル情報フィードバックで動作しないことがある。例えば、プリコーディングベースの送信は、効率的にサポートされないことがある。周波数ダイバーシティベースのＰＤＳＣＨ割り当ては、そのような小さいサイズの割り当てのために望ましくあることができる。
【００５０】
[0064]  技術および装置は、ＬＴＥについてのＥＣＣＥベースのＰＤＳＣＨリソース割り振りのためにここで提供される。
【００５１】
[0065]  ＰＤＳＣＨについてのリソース割り振りは、ＥＰＤＣＣＨのような制御チャネルのために使用される同一の構成（construction）ユニットに基づくことができる。例として、ＰＤＳＣＨについてのリソース割り振りは、分散されたＥＰＤＣＣＨのために設計されたＥＣＣＥインデクシングおよびＥＣＣＥ構成に基づくことができる（図５−７を参照して上述されている）。したがって、ＥＰＤＣＣＨおよびＰＤＳＣＨは狭い帯域幅において非常に効率的に統合されることができる。
【００５２】
[0066]  ある観点に従い、ＰＤＳＣＨはあるアグリゲーションレベルのＥＰＤＣＣＨ送信と同様であることができる。いくつかの実施形態において、ＥＰＤＣＣＨは、いくつかのＵＥｓへのＰＤＳＣＨ送信のうちのいくつかまたはすべてのために省略されることができ、またＰＤＳＣＨ復号はブラインドＥＰＤＣＣＨ復号と同様に扱われる（treated）ことができる。
【００５３】
[0067]  ある観点に従い、周波数ダイバーシティベースのＰＤＳＣＨ送信は、分散されたＥＰＤＣＣＨと同様にイネーブルされることができる。ＲＢベースのＰＤＳＣＨリソース割り振りの代わりに、ＰＤＳＣＨリソース割り振りは、マルチプルのＰＲＢペアからのリソース要素から成ることができる。ＰＤＳＣＨについての最小のリソースユニットサイズは、ＰＲＢペアのそれと同等であることができる。例えば、ＰＤＳＣＨについての最小のリソースユニットは、ＰＲＢペアが４個のＥＣＣＥｓを含む場合４個のＥＣＣＥｓであることができ、そしてＰＲＢペアが２個のＥＣＣＥｓを含む場合２個のＥＣＣＥｓであることができる、等である。異なるオーバヘッドと柔軟性のトレードオフについて、他のユニットも可能である（例えば、半分のＰＲＢペアについて２個のＥＣＣＥｓ）。
【００５４】
[0068]  図８は、本開示のある観点に従う、例示的ＥＣＣＥベースのＰＤＳＣＨリソース割り振りを図示する。図８において示される例において、４個のＥＣＣＥｓ／ＰＲＢペアが仮定される。また、ＰＤＳＣＨについてのリソースの細分性（granularity）は４個のＥＣＣＥｓであり、４個のＰＲＢペアがあると仮定される。図８において見られるように、同一のグループの各４個のＥＣＣＥｓは、１つの仮想リソースブロック（ＶＲＢ）として表される。例えば、ＥＣＣＥｓ ０−３は、ＶＲＢ ０と表され、ＥＣＣＥｓ ４−７はＶＲＢ １と表され、ＥＣＣＥｓ ８−１１はＶＲＢ ２と表され、そしてＥＣＣＥｓ１２−１５はＶＲＢ ３と表される。この例において、ＰＤＳＣＨについて４個のＶＲＢｓがあり、同一のグループのＥＲＥＧｓの各ＶＲＢは４個のＰＲＢペアからであり、周波数ダイバーシティオーダーまたは４（frequency diversity order or 4）という結果になる。
【００５５】
[0069]  いくつかの実施形態において、ＥＰＤＣＣＨは、いくつかのＥＣＣＥｓを使用することができる。割り当てられたＰＤＳＣＨリソースが対応するＥＰＤＣＣＨとオーバーラップする場合には、ＰＤＳＣＨはＥＰＤＣＣＨによって占有されるリソースのまわりでレート整合することができる。例えば、（ＰＤＳＣＨについての細分性が１個のＶＲＢであるため、）ＥＣＣＥｓ ０および１を使用するＥＰＤＣＣＨを有する（with）ＤＬグラントがＰＤＳＣＨ ＶＲＢｓ ０および１をスケジュールすると仮定すると、ＵＥはＶＲＢ ０におけるＥＣＣＥｓ ２と３およびＶＲＢ１におけるすべてのＥＣＣＥｓはＰＤＳＣＨに関して利用可能であると仮定することができる。いくつかの実施形態において、ＰＤＳＣＨへのＥＣＣＥリソースの利用可能性を示すために、例えば、ダウンリンク制御情報（ＤＣＩ）においてビットを追加することによって、追加の衝突処理が可能である。
【００５６】
[0070]  現在、６組のＰＲＢペアについて定義された分散されたＥＰＤＣＣＨがない−２組、４組、および８組のＰＲＢペアについてのみ−しかし、これは容易に６組のＰＲＢペアに拡張されることができる。図９−図１０は、本開示のある観点に従う、６組のＰＲＢペアのための例示的ＥＣＣＥベースのＰＤＳＣＨリソース割り振りを図示する。図９において見られるように、第１の選択肢において、１個のサブフレームにおける６組のＰＲＢペアは、リソースの１個のセットで編成される（organized）ことができる。４個のＶＲＢｓがＰＤＳＣＨについて定義されることができ、各々が４個ではなく６個のＥＣＣＥｓを含む−１組のＰＲＢペアではなく、約１．５組のＰＲＢペア（about 1.5 PRB pairs）である。
【００５７】
[0071]  図１０に見られるように、別の選択肢において、８個のＶＲＢｓがＰＤＳＣＨについて定義されることができ、各々が３個のＥＣＣＥｓを含む−約０．７５組のＰＲＢペアである。いくつかの実施形態において、１つのサブフレームにおける６個のＰＲＢペアは図１１に示されるように、２つまたはそれより多くのリソースセットで編成される。図１１において示されるように、６個のＰＲＢｓは、２組のＰＲＢペアで１つのリソースセットに、そして４組のＰＲＢペアで第２のリソースセットにグループ分けされることができる。２つまたはそれより多くのセットは、ブロックの観点の方法（block-wise manner）１１０２で、またはインタリーブされた方法１１０４、１１０６、１１０８で分割される（split）ことができる。インタリーブされた方法１１０４、１１０６、１１０８は、より良い周波数ダイバーシティについて好ましくあることができる。また、２組のＰＲＢペアについての最大の周波数ダイバーシティに関するエッジ上に２組のＰＲＢペアを配置する（例えば、１１０６）ことが好ましい−潜在的に共通のサーチスペースおよびブロードキャストトラフィックを搬送するために使用される。
【００５８】
[0072]  いくつかの実施形態において、ＰＤＳＣＨについてのＶＲＢｓは、図１２における例において示されるように、ＰＤＳＣＨリソース割り振りに関する２つまたはそれより多くのセットからＶＲＢｓを組合せることができる。図１２において示されるように、インタリーブされたセット１１０４は、２つのリソースセットを含むことができ、第１のセットはＰＲＢペア０および５を含み、そして第２のセットはＰＲＢペア１−４を含む。第１のセットのＰＲＢペア０および５は、ＰＤＳＣＨについてのＶＲＢｓ０および１を含むことができ、そして第２のセットのＰＲＢペア１−４は、ＰＤＳＣＨについてのＶＲＢｓ２−５を含むことができる。
【００５９】
[0073]  いくつかの実施形態において、２つのセットは、（例えば、１つがローカライズされ、そして１つは分散された）異なるモードに関することができる。図１３は、本開示のある観点に従う、６組のＰＲＢペアのための例示的ＥＣＣＥベースのＰＤＳＣＨリソース割り振りを図示する。図１３において見られるように、インタリーブされたＰＲＢｓ ０−５は、リソースの２つのセット１３０２を含む。１つのセットは、ＰＲＢｓ ０、１、３、および５を含み、そして第２のセットは、ＰＲＢｓ ２および４を含む。ＰＲＢペア２および４に基づくリソースは、ローカライズされたモードにおいてあり、そしてそれぞれ、ＶＲＢ ０、およびＶＲＢ １へマッピングされる。その一方で、ＰＲＢｓ ０、１、３、および５は、分散モードにおいてあり、そして、それぞれ、ＶＲＢｓ ２−５へマッピングされる。
【００６０】
［物理ダウンリンク共有チャネルリソースインジケーション］
[0074]  ある観点に従い、物理ダウンリンク共有チャネル（ＰＤＳＣＨ）リソース割り当ては、仮想リソースブロック（ＶＲＢｓ）のセットを示すダウンリンク制御情報（ＤＣＩ）において示されることができる。先に述べたように、各ＶＲＢは拡張された制御チャネル要素（ＥＣＣＥｓ）のセットへマッピングされる。
【００６１】
[0075]  いくつかの実施形態において、リソース割り振りは、ビットマップ方式、バーチャル連続リソース割り振り方式、等に基づくことができる。例えば、６個のＶＲＢｓがあると仮定し、ビットマップ方式が使用される場合、６ビットは、ＤＣＩにおいて使用されることができ、ここにおいて、各ビットはＶＲＢを示すことができる。バーチャル連続リソース割り振り方式が使用される場合、５ビットは２１組（７ｘ６／２＝２１）の異なる組合せのうちの１つを示すために使用されることができる。
【００６２】
［ダウンリンクリソースの管理］
[0076]  ある観点に従い、拡張された制御チャネル要素（ＥＣＣＥ）ベースのリソース割り振り（ＲＡ）のアプローチを使用して、ダウンリンクシステムリソースのうちのいくつかまたはすべては、拡張された物理ダウンリンク制御チャネル（ＥＰＤＣＣＨ）のような制御チャネルなしに管理されることができる。例えば、ブラインド復号ベースの物理ダウンリンク共有チャネル（ＰＤＳＣＨ）検出が実行されることができる。リソース割り振りに何の制限もない場合、ユーザ機器（ＵＥ）は、固定された変調符号化方式（ＭＣＳ）のもとで２N回ブラインド復号を実行することができ、ここでＮはＶＲＢｓの数である。２回のＭＣＳが可能である場合、ＵＥは、２N＊２（２N+1）回のブラインド復号を実行することができる。したがって、Ｎ＝６の場合、ＵＥは、制御チャネルに関する４４回または６０回のブラインド復号と比較して、単一のＭＣＳ方式で６４回のブラインド復号を実行する。
【００６３】
[0077]  ある観点に従い、リソース割り振り（例えば、バーチャル連続リソース割り振り）にいくつかの制限がある場合、ブラインド復号の数はより少なくなることがある。いくつかの実施形態において、ＰＤＳＣＨに関する符号化は、テイルバイティング畳み込み符号（ＴＢＣＣ：tail-biting convolution coding）などのＣＣ（convolution coding）に基づくことができる。
【００６４】
[0078]  ある観点に従い、１つまたは複数の既知の領域および動的領域は、ブラインド復号のために使用されることができる。図１４において見られるように、１つまたは複数の既知の領域１４０２は、マスタ情報ブロック（ＭＩＢ）／システム情報ブロック（ＳＩＢ）／ページング／ランダムアクセスチャネル（ＲＡＣＨ）応答、および場合によっては他の何らかのブロードキャストメッセージ（例えば、マルチメディア放送および同報サービス（ＭＢＭＳ）メッセージ）に関する領域を含むことができる。この領域は、サブフレームに依存することができる。
【００６５】
[0079]  いくつかの実施形態において、既知の領域１４０２は、永久的または半永久的にスケジュールされたＰＤＳＣＨ送信に関する領域を含むことができる。ＵＥは、この領域においてブラインド復号を実行する必要はない。この領域も、少なくともＵＥの視点から、サブフレームに依存することができ、そしてそれはＵＥ特有であることができる。各領域のサイズは、固定されている、またはサブフレームに依存することができる。
【００６６】
[0080]  いくつかの実施形態において、動的領域１４０４は、ＵＥがブラインド復号するＰＤＳＣＨ送信を含むことができる。動的領域における３個のＶＲＢｓおよび２個の可能性のあるＭＣＳの値があると仮定すると、ＵＥは最大で１６回（２3ｘ２＝１６）のブラインド復号を実行することができる。この領域は、（存在およびサイズが）サブフレームに依存することができ、ＵＥ特有であることができる。
【００６７】
[0081]  いくつかの実施形態において、いくつかの情報は、ブラインド復号の回数を減らすために（例えば、無線リソース制御（ＲＲＣ）構成を介して）ＵＥに示されることができる。例えば、ＵＥは、最大でたったの２個のＶＲＢｓ ＰＤＳＣＨがＵＥに関してスケジュールされることができることを示されることができる。動的領域について６個のＶＲＢｓがある場合、２個の可能性のあるＭＣＳ方式がある場合、ブラインド復号の回数は、４２（（６＋１５）＊２＝４２）である。別の例として、ＵＥは、どのＭＣＳが使用されるべきかが示されることができる（すなわち、６個の可能性のある１ ＶＲＢ ＰＤＳＣＨ、および１５個の可能性のある２ ＶＲＢ ＰＤＳＣＨ）。この場合において、何のリソース割り振りの限定もなしに動的領域について６個のＶＲＢｓを用いると、ＵＥは、１２８回のブラインド復号（６４ｘ２＝１２８）の代わりに、６４回のブラインド復号（２6）を有することがある。リソース割り振りの限定とＭＣＳの限定の組合せも可能である。
【００６８】
[0082]  図１５は、本開示のある観点に従う、ワイヤレス通信に関する例示的動作１５００を図示する。動作１５００は、例えば、ユーザ機器（ＵＥ）（例えば、ＵＥ １２０）によって実行されることができる。動作１５００は、１５０２において、ＵＥが制御チャネルと関連付けられるリソースの細分性に基づいて、データチャネルに割り当てられるリソースを決定することによって開始することができる。リソースの細分性は、１つまたは複数の拡張された制御チャネル要素（ＥＣＣＥｓ）の数であることができる。データチャネルは、ＰＤＳＣＨを含むことができる。ＰＤＳＣＨに割り当てられたリソース（resources assigned PDSCH）は、同一のＥＲＥＧからのＥＣＣＥｓの数を備えるＶＲＢｓであることができる。ＶＲＢにおけるＥＣＣＥｓは、マルチプルのＰＲＢペアにまたがることができ、または同一のＰＲＢペア内にあることができる。ある観点に従って、ＵＥはＶＲＢｓがそれぞれＥＣＣＥｓのセットにマッピングされることを示すビットを有するＤＣＩを受信することができる。
【００６９】
[0083]  ある観点に従って、サブフレームは、リソースセットに編成されたＰＲＢペアを有することができ、そして各セットはＰＲＢペアの異なる数を含むことができる。リソースセットのうちの少なくとも１つのＶＲＢｓは、ローカライズされることができ、そして同一のＰＲＢペア内のＥＣＣＥｓを含むことができる。ある観点に従い、リソースの細分性は、各ＰＲＢペアにおいて含まれるＥＣＣＥｓの数に依存することができる。いくつかの実施形態において、リソースの細分性はＰＲＢペアよりも少ない。
【００７０】
[0084]  ある観点に従って、利用可能なリソースは、ＰＤＳＣＨを検出するためにＵＥがブラインド復号を実行する第２の動的領域と既知の位置における情報を有する第１の固定された領域を含む。リソースはまた、永久的にスケジュールされたＰＤＳＣＨ送信に関する第３の領域を含むことができる。いくつかの実施形態において、領域のサイズ、位置、または存在は、サブフレームに依存するまたはＵＥに特有であることができる。
【００７１】
[0085]  １５０４において、ＵＥは、決定に基づいてサブフレームにおけるデータチャネル送信を処理する。ある観点に従って、割り当てられたＰＤＳＣＨリソースのいくつかは、ＥＰＤＣＣＨリソースとオーバーラップすることがある。ＵＥは、オーバーラップしているＥＰＤＣＣＨリソースのまわりでレート整合を実行することができる。ある観点に従って、いくつかのＰＤＳＣＨリソースは、対応する制御チャネルなしに割り当てられることができ、そしてＵＥは、ＰＤＳＣＨ送信を復号するためにブラインド復号を実行することができる。いくつかの実施形態において、ＵＥによって実行されるブラインド復号の回数は、限定されることがある。例えば、制限は、リソース割り振りをバーチャル連続リソースに限定することができる。
【００７２】
[0086]  図１６は、本開示のある観点に従って、ワイヤレス通信に関する例示的動作１６００を図示する。動作１６００は、例えば、基地局（ＢＳ）（例えば、ｅＮＢ １１０）によって実行されることができる。動作１６００は、１６０２において、ＢＳが制御チャネルと関連付けられるリソースの細分性に基づいて、ユーザ機器（ＵＥ）に関するデータチャネルにリソースを割り当てることによって開始されることができる。リソースの細分性は、１つまたは複数の拡張された制御チャネル要素（ＥＣＣＥｓ）に関することができる。１６０４において、ＢＳは、割り当てに基づいてサブフレームにおけるデータチャネル送信を送る。データチャネルは、ＰＤＳＣＨを含むことができる。
【００７３】
[0087]  先に説明した方法の様々な動作は、対応する機能を実行することができる任意の適切な手段によって実行されることができる。手段は、これらに限定される訳ではないが、回路、特定用途向け集積回路（ＡＳＩＣ）、またはプロセッサを含む様々な（複数を含む）ハードウェアおよび／またはソフトウェア／ファームウェアコンポーネント、および／または（複数を含む）モジュールを含むことができる。一般に、図面に図示された動作が存在する場合、それらの動作は、任意の適切な対応する対照のミーンズ・プラス・ファンクション・コンポーネントによって実行されることができる。
【００７４】
[0088]  例えば、送信するための手段は、図２において図示されるように、それぞれ、送信機（例えば、変調器２５４または２３２）および／またはＵＥ １２０のアンテナ２５２または２３４または基地局１１０を備えることができる。受信するための手段は、図２において図示されるように、それぞれ、受信機（例えば、復調器２５４または２３２）および／またはＵＥ １２０のアンテナ２５２または２３４または基地局１１０を備えることができる。決定するための手段および処理するための手段は、処理システムを備えることができ、それは図２において図示されるＵＥ １２０の送信プロセッサ２６４、コントローラ／プロセッサ２８０、および／または受信プロセッサ２５８などの、少なくとも１つのプロセッサを含むことができる。割り当てるための手段および送るための手段は、処理システムを備えることができ、それは図２において図示される基地局１１０の受信プロセッサ２３８、コントローラ／プロセッサ２４０、および／または送信プロセッサ２２０などの、少なくとも１つのプロセッサを含むことができる。しかしながら、図２における追加または代替のコンポーネントは、送信するための手段、受信するための手段、決定するための手段、処理するための手段、割り当てるための手段、および／または送るための手段として用いられることができる。
【００７５】
[0089]  開示されたプロセスにおけるステップの指定の順序または階層は典型的なアプローチの一例であることが理解される。設計の優先性に基づいて、プロセスにおけるステップの指定の順序または階層は、依然として本開示の範囲内でありながら並べ替えられる（rearranged）ことができることが理解される。添付の方法請求項は様々なステップの要素をサンプルの順序で提示し、そして提示される指定の順序または階層に限定されることを意味しない。
【００７６】
[0090]  当業者は、情報および信号が、様々な異なる技術工学および技術のいずれかを使用して表されることができることを理解するだろう。例えば、先の説明の全体にわたって参照されることができる、データ、命令、コマンド、情報、信号、ビット、シンボル、およびチップは、電圧、電流、電磁波、磁場あるいは磁粒子、光場あるいは光学粒子、あるいはそれらの組合せ、によって表わされることができる。
【００７７】
[0091]  さらに、ここにおける開示に関して説明した様々な例示的な論理ブロック、モジュール、回路、およびアルゴリズムステップは、ハードウェア、ソフトウェア／ファームウェア、またはそれらの組合せとしてインプリメントされることができることを、当業者は理解するだろう。ハードウェアとソフトウェア／ファームウェアのこの互換性を明確に例示するために、様々な例示的なコンポーネント、ブロック、モジュール、回路およびステップがそれらの機能という点から一般的に先に説明されてきた。このような機能が、ハードウェア、またはソフトウェア／ファームウェアとしてインプリメントされるかは、特定のアプリケーションおよびシステム全体に課せられる設計制約に依存する。当業者は、各特定のアプリケーションのために方式を変化させて、説明された機能性をインプリメントすることができるが、このようなインプリメンテーションの決定は本開示の範囲からの逸脱をまねくものと解釈されるべきではない。
【００７８】
[0092]  ここにおける開示と関連して説明された様々な例示的な論理ブロック、モジュール、および回路は、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェアコンポーネント、もしくは、ここで説明した機能を実行するように設計されたそれらの任意の組合せで実行またはインプリメントされることができる。汎用プロセッサは、マイクロプロセッサであることができるが、その代わりに、プロセッサは、任意の従来のプロセッサ、コントローラ、マイクロコントローラ、またはステートマシンであることができる。プロセッサはまた、例えば、ＤＳＰとマイクロプロセッサの組合せ、複数のマイクロプロセッサ、ＤＳＰコアと連動した１つまたは複数のマイクロプロセッサ、またはその他任意のそのような構成のような、コンピューティングデバイスの組合せとしてインプリメントされることができる。
【００７９】
[0093]  本開示に関連して説明された方法またはアルゴリズムのステップは、直接的にハードウェア内に、プロセッサによって実行されたソフトウェア／ファームウェアモジュール内に、またはそれらの組合せ内に組み込まれることができる。ソフトウェア／ファームウェアモジュールは、ＲＡＭメモリ、フラッシュメモリ、相変化メモリ（ＰＣＭ）、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、あるいは当該技術分野において周知のその他任意の形態の記憶媒体内に存在することができる。典型的な記憶媒体は、プロセッサが記憶媒体からの情報を読み取り、記憶媒体に情報を書き込むことができるように、このプロセッサに結合される。代替例においては、記憶媒体はプロセッサに統合されることができる。プロセッサおよび記憶媒体はＡＳＩＣに存在することができる。ＡＳＩＣは、ユーザ端末内に存在することができる。代替例においては、プロセッサおよび記憶媒体は離散的なコンポーネントとしてユーザ端末内に存在することができる。
【００８０】
[0094]  １つまたは複数の典型的な設計において、説明された機能は、ハードウェア、ソフトウェア／ファームウェア、またはそれらの組合せでインプリメントされることができる。ソフトウェア／ファームウェアにおいてインプリメントされる場合、機能は、１つまたは複数の命令群あるいはコードとして、コンピュータ可読媒体上に記憶される、もしくはそれによって送信されることができる。コンピュータ可読媒体は、ある場所から別の場所へのコンピュータプログラムの転送を容易にする任意の媒体を含む通信媒体とコンピュータ記憶媒体との両方を含む。記憶媒体は、汎用コンピュータあるいは特殊用途コンピュータによってアクセスされることができる任意の利用可能な媒体であることができる。限定ではなく、実例として、そのようなコンピュータ可読媒体は、ＲＡＭ、ＲＯＭ、ＥＥＰＲＯＭ、ＣＤ−ＲＯＭ、あるいはその他の光学ディスク記憶装置、磁気ディスク記憶装置又はその他の磁気記憶デバイス、あるいは、命令群又はデータ構造の形態で望ましいプログラムコード手段を搬送又は格納するために使用されることができ、かつ、汎用又は特殊用途コンピュータ、あるいは汎用又は特殊用途プロセッサによってアクセスすることができるその他任意の媒体を備えることができる。また、任意の接続は、コンピュータ可読媒体と厳密には呼ばれている。例えば、同軸ケーブル、光ファイバケーブル、ツイストペア、デジタル加入者回線（ＤＳＬ）、あるいは、赤外線、ラジオ、およびマイクロ波のようなワイヤレス技術工学を使用して、ウェブサイト、サーバ、あるいはその他の遠隔ソースからソフトウェア／ファームウェアが送信される場合には、同軸ケーブル、光ファイバケーブル、ツイストペア、ＤＳＬ、あるいは赤外線、ラジオ、およびマイクロ波のようなワイヤレス技術工学は、媒体の定義に含まれる。ここで使用されるようなディスク（disk）およびディスク（disc）は、コンパクトディスク（ＣＤ）（disc）、レーザーディスク（登録商標）（disc）、光学ディスク（disc）、デジタル多目的ディスク（ＤＶＤ）（disc）、フロッピー（登録商標）ディスク（disk）およびブルーレイ（Ｂｌｕ−ｒａｙ（登録商標））ディスク（disc）を含み、ここで、ディスク（disk）は通常、データを磁気的に再生する一方、ディスク（disc）は
レーザを用いてデータを光学的に再生する。したがって、いくつかの観点において、コンピュータ可読媒体は、非一時的なコンピュータ可読媒体（例えば、有形的表現媒体）を備えることができる。加えて、他の観点について、コンピュータ可読媒体は、一時的なコンピュータ可読媒体（例えば、信号）を備えることができる。上記の組合せもまた、コンピュータ可読媒体の範囲内に含まれるべきである。
【００８１】
[0095]  ここで使用される場合、項目のリスト「のうちの少なくとも１つ」というフレーズは、単一の要素（members）を含む、それらの項目の任意の組合せに言及するものである。例として、「ａ、ｂ、またはｃのうちの少なくとも１つ」は、ａ、ｂ、ｃ、ａ−ｂ、ａ−ｃ、ｂ−ｃ、およびａ−ｂ−ｃを含むことを意図する。
【００８２】
[0096]  本開示の先の記載は、当業者が本開示を実施および使用することを可能にするために提供される。本開示に対する様々な変更は、当業者に容易に理解され、ここで定義された一般的な原理は、本開示の趣旨または範囲から逸脱せずに、他の変形例に適用されることができる。よって、本開示は、ここで説明される実例および設計に限定されるように意図されたものではなく、ここで開示された原理および新規の特徴と矛盾しない最大範囲であると認められるべきである。
以下に、出願当初の特許請求の範囲に記載された発明を付記する。
［Ｃ１］
下記を具備する、ユーザ機器（ＵＥ）によるワイヤレス通信のための方法：
制御チャネルと関連付けられるリソースの細分性に基づいて、データチャネルに割り当てられるリソースを決定すること、および
前記決定に基づいてサブフレームにおけるデータチャネル送信を処理すること。
［Ｃ２］
Ｃ１に記載の方法、ここにおいて、前記リソースの細分性は、１つまたは複数の拡張された制御チャネル要素（ＥＣＣＥ）に関する。
［Ｃ３］
Ｃ２に記載の方法、ここにおいて、前記リソースの細分性は、物理リソースブロック（ＰＲＢ）ペアに含まれるＥＣＣＥｓの数に依存する。
［Ｃ４］
Ｃ１に記載の方法、ここにおいて、前記リソースの細分性はＰＲＢペアよりも小さい。
［Ｃ５］
Ｃ２に記載の方法、ここにおいて、前記データチャネルについて利用可能なリソースは、同一のグループからの複数のＥＣＣＥｓを具備する仮想リソースブロック（ＶＲＢｓ）を具備する。
［Ｃ６］
Ｃ１に記載の方法、ここにおいて、前記データチャネルは、物理ダウンリンク共有チャネル（ＰＤＳＣＨ）を具備する。
［Ｃ７］
Ｃ６に記載の方法、ここにおいて：
前記ＰＤＳＣＨに割り当てられた前記リソースのうちの少なくともいくつかは、拡張された物理ダウンリンク制御チャネル（ＥＰＤＣＣＨ）に対応するリソースとオーバーラップする、および
前記サブフレームにおけるＰＤＳＣＨ送信を処理することは、前記オーバーラップしたリソースに基づいてレート整合を実行することを具備する。
［Ｃ８］
Ｃ６に記載の方法、ここにおいて
少なくともいくつかのＰＤＳＣＨリソースは、対応する制御チャネルなしに割り当てられる、および
前記サブフレームにおけるＰＤＳＣＨ送信を処理することは、ＰＤＳＣＨ送信を復号するためにブラインド復号を実行することを具備する。
［Ｃ９］
Ｃ２に記載の方法、ここにおいて、前記データチャネルに割り当てられた前記リソースを決定することは下記を具備する：
１つまたは複数の仮想リソースブロックのセットを示すダウンリンク制御情報（ＤＣＩ）を受信すること、各々は１つまたは複数のＥＣＣＥｓのセットにマッピングされる。
［Ｃ１０］
Ｃ１に記載の方法、ここにおいて、前記データチャネル送信について利用可能なサブフレームは下記を具備する：
既知の位置における情報を有する第１の固定された領域、および
前記ＵＥが物理ダウンリンク共有チャネル（ＰＤＳＣＨ）を検出するためにブラインド復号を実行する第２の動的領域。
［Ｃ１１］
下記を具備する、基地局（ＢＳ）によるワイヤレス通信のための方法：
制御チャネルと関連付けられるリソースの細分性に基づいて、ユーザ機器（ＵＥ）のためのデータチャネルにリソースを割り当てること、および
前記割り当てに基づいてサブフレームにおけるデータチャネル送信を送ること。
［Ｃ１２］
Ｃ１１に記載の方法、ここにおいて、前記リソースの細分性は、１つまたは複数の拡張された制御チャネル要素（ＥＣＣＥ）の数に依存する。
［Ｃ１３］
Ｃ１２に記載の方法、ここにおいて、前記リソースの細分性は、物理リソースブロック（ＰＲＢ）ペアに含まれるＥＣＣＥｓの数に依存する。
［Ｃ１４］
Ｃ１１に記載の方法、ここにおいて、前記リソースの細分性はＰＲＢペアよりも小さい。
［Ｃ１５］
Ｃ１２に記載の方法、ここにおいて、前記データチャネルについて利用可能なリソースは、同一のグループからの複数のＥＣＣＥｓを具備する仮想リソースブロック（ＶＲＢｓ）を具備する。
［Ｃ１６］
Ｃ１１に記載の方法、ここにおいて、前記データチャネルは、物理ダウンリンク共有チャネル（ＰＤＳＣＨ）を具備する。
［Ｃ１７］
Ｃ１６に記載の方法、ここにおいて：
前記ＰＤＳＣＨに割り当てられた前記リソースのうちの少なくともいくつかは、拡張された物理ダウンリンク制御チャネル（ＥＰＤＣＣＨ）に対応するリソースとオーバーラップする。
［Ｃ１８］
Ｃ１６に記載の方法、ここにおいて、
少なくともいくつかのＰＤＳＣＨリソースは、対応する制御チャネルなしに割り当てられる。
［Ｃ１９］
さらに下記を具備する、Ｃ１２に記載の方法：
１つまたは複数の仮想リソースブロックのセットを示すダウンリンク制御情報（ＤＣＩ）を送ること、各々は１つまたは複数のＥＣＣＥｓのセットにマッピングされる。
［Ｃ２０］
Ｃ１１に記載の方法、ここにおいて、前記データチャネル送信について利用可能なサブフレームは下記を具備する：
既知の位置における情報を有する第１の固定された領域、および
前記ＵＥが物理ダウンリンク共有チャネル（ＰＤＳＣＨ）を検出するためにブラインド復号を実行する第２の動的領域。
［Ｃ２１］
Ｃ２０に記載の方法、ここにおいて、前記データチャネル送信について利用可能なサブフレームはまた、以下を具備する：
永久的にスケジュールされたＰＤＳＣＨ送信に関する第３の領域。
［Ｃ２２］
下記を具備する、ユーザ機器（ＵＥ）によるワイヤレス通信のための装置：
制御チャネルと関連付けられるリソースの細分性に基づいて、データチャネルに割り当てられるリソースを決定するための手段、および
前記決定に基づいてサブフレームにおけるデータチャネル送信を処理するための手段。
［Ｃ２３］
Ｃ２２に記載の装置、ここにおいて、前記リソースの細分性は、１つまたは複数の拡張された制御チャネル要素（ＥＣＣＥ）に関する。
［Ｃ２４］
Ｃ２２に記載の装置、ここにおいて、前記データチャネルは、物理ダウンリンク制御チャネル（ＰＤＳＣＨ）を具備する。
［Ｃ２５］
Ｃ２４に記載の装置、ここにおいて：
前記ＰＤＳＣＨに割り当てられた前記リソースのうちの少なくともいくつかは、拡張された物理ダウンリンク制御チャネル（ＥＰＤＣＣＨ）に対応するリソースとオーバーラップする、および
前記サブフレームにおけるＰＤＳＣＨ送信を処理することは、前記オーバーラップしたリソースに基づいてレート整合を実行することを具備する。
［Ｃ２６］
下記を具備する、基地局（ＢＳ）によるワイヤレス通信のための装置：
制御チャネルと関連付けられるリソースの細分性に基づいて、ユーザ機器（ＵＥ）のためのデータチャネルにリソースを割り当てるための手段、および
前記割り当てに基づいてサブフレームにおけるＰＤＳＣＨ送信を送るための手段。
［Ｃ２７］
Ｃ２６に記載の装置、ここにおいて、前記リソースの細分性は、１つまたは複数の拡張された制御チャネル要素（ＥＣＣＥ）に関する。
［Ｃ２８］
Ｃ２６に記載の装置、ここにおいて、前記データチャネルは、物理ダウンリンク制御チャネル（ＰＤＳＣＨ）を具備する。
［Ｃ２９］
Ｃ２８に記載の装置、ここにおいて：
前記ＰＤＳＣＨに割り当てられた前記リソースのうちの少なくともいくつかは、拡張された物理ダウンリンク制御チャネル（ＥＰＤＣＣＨ）に対応するリソースとオーバーラップする、および
前記サブフレームにおけるＰＤＳＣＨ送信を処理することは、前記オーバーラップしたリソースに基づいてレート整合を実行することを具備する。
【図１】
0006337011.tif 000003
【図２】
0006337011.tif 000004
【図３】
0006337011.tif 000005
【図４】
0006337011.tif 000006
【図５】
0006337011.tif 000007
【図６】
0006337011.tif 000008
【図７】
0006337011.tif 000009
【図８】
0006337011.tif 000010
【図９】
0006337011.tif 000011
【図１０】
0006337011.tif 000012
【図１１】
0006337011.tif 000013
【図１２】
0006337011.tif 000014
【図１３】
0006337011.tif 000015
【図１４】
0006337011.tif 000016
【図１５】
0006337011.tif 000017
【図１６】
0006337011.tif 000018